(57)【特許請求の範囲】
【請求項１】
二重管削孔装置を用いてアンカーを鉛直方向に対して斜めに設置するアンカーの設置方法であって、二重管削孔装置によりアンカーの設置孔を斜めに削孔した後、前記二重管削孔装置を構成するインナー部材を前記設置孔から取出し、該設置孔内に残存する二重管削孔装置の外管に対してアンカーをその軸心が前記外管の軸心より上方へ偏心した位置に保持されるようにスペーサを装着した状態で挿入するとともに、その外管内への前記アンカーの挿入と前後してグラウト材を充填し、該グラウト材が固化する前に前記外管を設置孔から取出すようにし、前記外管の自重に基づく、外管自体の前記設置孔に対する下方への偏心を、前記スペーサによる前記アンカーの前記外管の軸心より上方への偏心によって吸収するように構成したことを特徴とする二重管削孔装置を用いたアンカー設置方法。
【請求項２】
二重管削孔装置を用いてアンカーを鉛直方向に対して斜めに設置するアンカーの設置方法であって、二重管削孔装置によりアンカーの設置孔を斜めに削孔した後、前記二重管削孔装置を構成するインナー部材を前記設置孔から取出し、該設置孔内に残存する二重管削孔装置の外管の内側に保護管を挿入して、その保護管に対してアンカーをその軸心が前記保護管の軸心より上方へ偏心した位置に保持されるようにスペーサを装着した状態で挿入するとともに、その保護管内への前記アンカーの挿入と前後してグラウト材を充填し、該グラウト材が固化する前に前記保護管を設置孔から取出すようにし、前記外管や保護管の自重に基づく、保護管自体の前記設置孔に対する下方への偏心を、前記スペーサによる前記アンカーの前記保護管の軸心より上方への偏心によって吸収するように構成したことを特徴とする二重管削孔装置を用いたアンカー設置方法。
【請求項３】
二重管削孔装置を用いてアンカーを鉛直方向に対して斜めに設置するアンカーの設置方法であって、二重管削孔装置によりアンカーの設置孔を斜めに削孔した後、前記二重管削孔装置を構成するインナー部材を前記設置孔から取出し、該設置孔内に残存する二重管削孔装置の外管の内側にグラウト材が流通可能な多孔状に形成された保護管を挿入して、その保護管に対してアンカーをその軸心が前記保護管の軸心より上方へ偏心した位置に保持されるようにスペーサを装着した状態で挿入するとともに、その保護管内への前記アンカーの挿入と前後してグラウト材を充填するようにし、前記外管や保護管の自重に基づく、保護管自体の前記設置孔に対する下方への偏心を、前記スペーサによる前記アンカーの前記保護管の軸心より上方への偏心によって吸収するように構成したことを特徴とする二重管削孔装置を用いたアンカー設置方法。
【請求項４】
前記設置孔内に残存する二重管削孔装置の外管の内側に保護管を挿入した後、その保護管内へグラウト材を充填する前に、前記外管を設置孔から取出すようにし、前記保護管の自重に基づく、保護管自体の前記設置孔に対する下方への偏心を、前記スペーサによる前記アンカーの前記保護管の軸心より上方への偏心によって吸収するように構成した請求項２又は３に記載の二重管削孔装置を用いたアンカー設置方法。
【請求項５】
アンカーに対して側方から押圧装着可能な開口部を有する筒状把持部と、二重管削孔装置の外管や保護管からなるアンカーの挿入孔の内面に当接する断面円弧状の曲面からなる内面当接部を備えた間隔保持片とを有し、前記筒状把持部によるアンカーに対する把持の軸心を、前記内面当接部を形成する断面円弧状からなる前記曲面の中心より上方へ偏心させ、前記外管や保護管の自重に基づく、前記アンカーの挿入孔の、アンカーの設置孔に対する下方への偏心を吸収し得るように構成したことを特徴とするアンカー用スペーサ。
【請求項６】
アンカーの挿入孔の内面に当接する前記内面当接部を前記筒状把持部の軸心を通る直線によって分割される半分以下の領域に納めるように構成したことを特徴とする請求項５に記載のアンカー用スペーサ。
【発明の詳細な説明】
【技術分野】
【０００１】
本発明は、斜面の安定化工事などにおいてロックボルト等のアンカーを地盤に対して斜めに設置するためのアンカー設置方法、及びそのアンカー設置方法に使用して被り厚を保持するためのアンカー用スペーサに関する。
【背景技術】
【０００２】
従来からロックボルトやグラウンドアンカーなどの各種のアンカーが地盤安定化用の手段として広く用いられている。これらのアンカーは、地盤に削孔されたアンカーの設置孔に挿入し、その周囲に適宜のグラウト材を充填して固化させることにより地盤に定着させ、地盤に対する支圧手段の締付け保持手段や、自然の状態をなるべくそのまま残して斜面の安定化を図る自然斜面安定化工法において用いられるワイヤーロープ等の連結材の支持手段などとして広く使用されている。このアンカーの定着作業においては、アンカーに対するグラウト材の被り厚を適正に確保することが重要であり、このためにアンカーを設置孔の内壁から離間して保持するアンカー用スペーサが一般的に使用されている。
【０００３】
ところで、削孔装置に関し、インナービットとその外周部に配設したアウタービットとの組合わせからなり、それらのビットに例えば打撃力と回転力を付与しながら掘削を行う回転打撃式の二重管削孔装置は、掘削性能の優れた削孔装置として広く知られている（引用文献１）。しかしながら、この種のインナービットとアウタービットを備えた二重管削孔装置、とりわけダウンザホールハンマ方式を採用する回転打撃式二重管削孔装置などにおいては、その二重管構造から削孔径が大きくなる傾向にあるため、斜面安定化施工などにおいて一般的に使用されている削孔径が９０ｍｍ程度以下の小口径用の場合には、削孔径からくる制約に起因する製造技術上の問題などからあまり実用化が進んでいないのが実情である。そこで、本出願人らにおいても二重管削孔装置の小型化を図り、斜面安定化施工などにおけるアンカー設置作業への適用を進めているところである。本発明も、そのような技術的な流れに沿ったものである。
【特許文献１】特許第２６８０４３３号公報
【０００４】
また、アンカー用スペーサに関し、周壁にアンカー挿入用の開口部を設けた両側の筒状把持部と、それらの両側の筒状把持部の間に設置され、それぞれの中間部が径方向外側へ膨出された複数の間隔保持片とからなり、前記筒状把持部に設けた開口部を介してアンカーに対して側方から押圧することにより装着し得るように構成した提灯形のアンカー用スペーサが開示されている（特許文献２）。
【特許文献２】特開２００４−３０８４０６号公報
【発明の開示】
【発明が解決しようとする課題】
【０００５】
本発明は、以上のような従来の技術的状況に鑑みて開発したもので、斜面安定化工法などにおいて重力の作用する鉛直方向に対して斜めに形成される比較的小口径のアンカー設置孔の削孔装置として掘削性能の優れた二重管削孔装置を適用した場合でも、アンカーの設置作業が簡便であり、しかも被り厚を的確に確保できるアンカー設置方法及びそのアンカー設置方法に適合するアンカー用スペーサを提供することを目的とする。
【課題を解決するための手段】
【０００６】
前記課題を解決するため、請求項１の発明では、二重管削孔装置を用いてアンカーを鉛直方向に対して斜めに設置するアンカーの設置方法において、二重管削孔装置によりアンカーの設置孔を斜めに削孔した後、前記二重管削孔装置を構成するインナー部材を前記設置孔から取出し、該設置孔内に残存する二重管削孔装置の外管に対してアンカーをその軸心が前記外管の軸心より上方へ偏心した位置に保持されるようにスペーサを装着した状態で挿入するとともに、その外管内への前記アンカーの挿入と前後してグラウト材を充填し、該グラウト材が固化する前に前記外管を設置孔から取出すようにし、前記外管の自重に基づく、外管自体の前記設置孔に対する下方への偏心を、前記スペーサによる前記アンカーの前記外管の軸心より上方への偏心によって吸収するという技術手段を採用した。請求項２の発明では、前記二重管削孔装置によりアンカーの設置孔を斜めに削孔した後、前記二重管削孔装置を構成するインナー部材を前記設置孔から取出し、該設置孔内に残存する二重管削孔装置の外管の内側に保護管を挿入して、その保護管に対してアンカーをその軸心が前記保護管の軸心より上方へ偏心した位置に保持されるようにスペーサを装着した状態で挿入するとともに、その保護管内への前記アンカーの挿入と前後してグラウト材を充填し、該グラウト材が固化する前に前記保護管を設置孔から取出すようにし、前記外管や保護管の自重に基づく、保護管自体の前記設置孔に対する下方への偏心を、前記スペーサによる前記アンカーの前記保護管の軸心より上方への偏心によって吸収するという技術手段を採用した。請求項３の発明では、前記二重管削孔装置によりアンカーの設置孔を斜めに削孔した後、前記二重管削孔装置を構成するインナー部材を前記設置孔から取出し、該設置孔内に残存する二重管削孔装置の外管の内側にグラウト材が流通可能な多孔状に形成された保護管を挿入して、その保護管に対してアンカーをその軸心が前記保護管の軸心より上方へ偏心した位置に保持されるようにスペーサを装着した状態で挿入するとともに、その保護管内への前記アンカーの挿入と前後してグラウト材を充填するようにし、前記外管や保護管の自重に基づく、保護管自体の前記設置孔に対する下方への偏心を、前記スペーサによる前記アンカーの前記保護管の軸心より上方への偏心によって吸収するという技術手段を採用した。以上のように、請求項１〜３の発明では、アンカー用スペーサによってアンカーの軸心を予め外管や保護管の軸心より上方へ偏心した位置に保持するようにし、外管や保護管の自重により削孔すなわち前記設置孔の軸心より下方へ偏心しても、その偏心が吸収されるように構成したので、最終的にアンカーを削孔のほぼ中央に保持することも可能であり、より均等に被り厚を確保することが可能である。なお、前記設置孔内に残存する二重管削孔装置の外管の内側に保護管を挿入する場合、前記外管を保護管内へグラウト材を充填する前に設置孔から取出すようにし、前記保護管の自重に基づく、保護管自体の前記設置孔に対する下方への偏心を、前記スペーサによる前記アンカーの前記保護管の軸心より上方への偏心によって吸収するようにしてもよい（請求項４）。
【０００７】
上述のアンカー設置方法に適合するアンカー用スペーサに関し、請求項５の発明では、アンカーに対して側方から押圧装着可能な開口部を有する筒状把持部と、二重管削孔装置の外管や保護管からなるアンカーの挿入孔の内面に当接する断面円弧状の曲面からなる内面当接部を備えた間隔保持片とを有し、前記筒状把持部によるアンカーに対する把持の軸心を、前記内面当接部を形成する断面円弧状からなる前記曲面の中心より上方へ偏心させ、前記外管や保護管の自重に基づく、前記アンカーの挿入孔の、アンカーの設置孔に対する下方への偏心を吸収するという技術手段を採用した。さらに、前記外管や保護管からなるアンカーの挿入孔の内面に当接する前記内面当接部を前記筒状把持部の軸心を通る直線によって分割される半分以下の領域に納めるように構成してもよい（請求項６）。因みに、以上の請求項１〜６の発明において偏心を吸収するとは、偏心の全てを吸収する場合が望ましいが、これに限らず、その偏心の一部を吸収して、偏心量の縮小に有効な場合も含まれる。
【発明の効果】
【０００８】
本発明によれば、次の効果を得ることができる。
（１）本発明に係るアンカー設置技術では、アンカー用スペーサを装着したアンカーを二重管削孔装置の外管内あるいはその外管の内側に挿入される保護管内へ挿入するという技術手段を採用したので、その挿入作業においては、削孔の内壁面の凹凸面の影響を受けることなく、それらの外管あるいは保護管の内面に沿って摺動させながら挿入できるので、アンカーの挿入作業が大幅に簡便化され、作業性を大幅に向上できる。
（２）しかも、前記アンカー用スペーサによってアンカーの軸心を外管や保護管の軸心より上方へ偏心した位置に保持するという技術手段を採用したので、自重により外管や保護管が設置孔に対して下方へ偏心しても、その偏心を吸収して最終的にアンカーを削孔すなわち前記設置孔のほぼ中央に保持することが可能なことから、グラウト材をアンカーの周囲にほぼ均等な厚さで充填することができ、被り厚をより的確に確保することが可能である。
（３）したがって、小口径用として二重管削孔装置を適用した場合にも、簡便かつ的確にアンカーの周囲に必要な被り厚を確保することができることから、斜面安定化工法などにおける小口径用の削孔用装置として掘削性能の優れた二重管削孔装置を適用して作業効率を向上することも可能となる。
（４）さらに、外管や保護管からなるアンカーの挿入孔の内面に当接する内面当接部を筒状把持部の軸心を通る直線によって分割される半分以下の領域に納めるように構成すれば、挿入孔の内面との接触に基づくスペーサに対する拘束性が緩和されるので、前記外管や保護管の直径に対する融通性が増し、挿入作業がより簡便になるとともに、材料の使用量の節減にも有効である。
【発明を実施するための最良の形態】
【０００９】
本発明に係るアンカーの設置方法は、二重管削孔装置を用いてアンカーを重力の作用する鉛直方向に対して斜めに設置する場合には、その傾斜角を問わず広く適用することができる。アンカーとしては、ロックボルトやグラウンドアンカーなどの各種アンカーを含む。そして、施工に当っては、二重管削孔装置によりアンカーの設置孔を斜めに削孔した後、その設置孔から二重管削孔装置を構成するインナービットやインナーロッドなどのインナー部材を取出した上、該設置孔内に残存する二重管削孔装置の外管あるいはその外管の内側に挿入された保護管に対してアンカーをその軸心が上方へ偏心した位置に保持されるようにスペーサを装着した状態で挿入することになる。しかる後、前記外管内あるいは保護管内への前記アンカーの挿入と前後してグラウト材を充填し、該グラウト材が固化する前にそれらの外管あるいは保護管を設置孔から取出した状態で前記グラウト材の固化を待てば、アンカーを設置孔のほぼ中央に定着させることができる。なお、保護管としてグラウト材が流通可能な多孔状のものを使用すれば、設置孔から取出すことなく、グラウト材中に埋残すことも可能である。因みに、グラウト材の充填時期は、アンカーの外管あるいは保護管に対する挿入の前であっても後であってもよい。また、保護管を使用する場合における外管の設置孔からの取出し時期に関しては、グラウト材の充填前が適当であるが、グラウト材の充填後でも可能である。
【００１０】
本発明に係るアンカー用スペーサは、上述のアンカーの設置方法に好適である。本発明に係るアンカー用スペーサは、アンカーに対して側方から押圧装着可能な開口部を有する筒状把持部と、二重管削孔装置の外管や保護管からなるアンカーの挿入孔の内面に当接する断面円弧状の曲面からなる内面当接部を備えた間隔保持片とを有し、前記筒状把持部によるアンカーに対する把持の軸心を、前記内面当接部を形成する断面円弧状からなる前記曲面の中心より上方へ偏心させるという構成を採用している。これにより、それらの筒状把持部と内面当接部との関係によって、前記筒状把持部により把持されるアンカーの軸心が、前記内面当接部が当接する挿入孔すなわち前記外管や保護管の軸心より上方へ偏心されることになる。したがって、上述のアンカーの設置方法において、外管や保護管が自重によって削孔すなわち設置孔の軸心より下がった偏心分を吸収して最終的にアンカーを削孔のほぼ中央に保持するため、アンカーを前記外管や保護管の軸心より上方へ偏心した位置に保持する手段として、本発明に係るアンカー用スペーサがきわめて有効である。しかして、本発明に係るアンカー用スペーサを上述のアンカーの設置方法に使用する場合には、削孔すなわち設置孔に対する外管や保護管の偏心状態に応じて適合するアンカー用スペーサを選定し、それらのアンカー用スペーサをアンカーに対して所定の間隔をあけながら直線上に整列させた状態に装着した上、それらの各アンカー用スペーサを下方に向けて前記外管や保護管の下側の内面に当接させた状態で摺動させながら挿入することにより、簡便かつ的確に削孔のほぼ中央にアンカーを保持することが可能である。因みに、同じ外管や保護管のうちで、位置によって偏心量が変化する場合には、その偏心量に応じたアンカー用スペーサの選定が可能である。なお、アンカーの挿入孔の内面に当接する前記内面当接部の大きさに関しては任意の選定が可能であるが、前記筒状把持部の軸心を通る直線によって分割される半分以下の領域に納めるように構成すれば、内面当接部と挿入孔すなわち前記外管や保護管の内面との当接範囲が半円以下となり、挿入孔の内面との接触に基づくスペーサに対する拘束性が緩和されるので、前記外管や保護管の直径に対する融通性が増し、挿入作業がより簡便になるとともに、材料の使用量の節減にも有効である。
【実施例】
【００１１】
図１は本発明に係るアンカー用スペーサのアンカーへの装着状態を示した施工説明図である。図２は前記アンカー用スペーサを装着したアンカーを設置孔内へ挿入した途中の部分を例示した施工状態図であり、図３はそのＸ−Ｘ拡大断面図である。図中１はネジ節状のロックボルトからなるアンカー、２はアンカー用スペーサを示したものである。図１に示したように、アンカー用スペーサ２はアンカー１に対して側方から押し当てて直線上に整列した状態に装着する。図２に示したように、地盤３のアンカー１の設置位置には、従来から広く知られたインナービットの外周部にアウタービットを備えた、例えばダウンザホールハンマ方式の回転打撃式二重管削孔装置を用いて設置孔４が斜めに形成される。そして、設置孔４の掘削作業が終了したら、その設置孔４からインナービットやダウンザホールハンマ、インナーロッドなどのインナー部材を取出す。しかる後、本実施例では、設置孔４内に残存する外管の内側へ保護管５を挿入し、その上で外管を設置孔４から取出す場合を示した。図２はこの外管を取出した後の設置孔４に残存する保護管５内へアンカー用スペーサ２が装着されたアンカー１を挿入したところを示したものである。
【００１２】
図２に示したように、設置孔４は重力が作用する鉛直方向に対して斜めに形成されることから、保護管５は自重によって設置孔４の下方へずれることになる。したがって、アンカー１をそのまま保護管５の軸心に沿うように設置すると、アンカー１も設置孔４の軸心に対して下方へ偏心してしまい、被り厚が不足する場合が生じる。因みに、この偏心量は、保護管５の場合と外管の場合との違いや深さ方向の位置によって変化する場合がある。例えば、保護管５が図３に示したように設置孔４に対して下方へＳだけ偏心する部分に対しては、アンカー用スペーサ２によってアンカー１の軸心Ａを保護管５の軸心Ｂより上方にＳだけ偏心した状態に保持し、これによりアンカーの軸心Ａが設置孔４の軸心Ｃとなるべく一致するように設定することになる。しかして、アンカー１が、以上のようにその軸心Ａが設置孔４の軸心Ｃとほぼ一致した状態に保持されたら、設置孔４に対するグラウト材の充填を実行し、そのグラウト材が固化する前に保護管５を設置孔４から抜取ることになる。この設置孔４に対するグラウト材の充填においては、初めから保護管５の内外にグラウト材を充填するようにしてもよいし、保護管５の内方にのみグラウト材を充填し、そのグラウト材が固化する前に保護管５を引抜いた上、さらに設置孔４内にグラウト材を補給するようにしてもよい。そして、設置孔４内に充填されたグラウト材が固化すれば、アンカー１は周囲にほぼ均等の被り厚が確保された状態で地盤３に定着されることになる。なお、以上では、保護管５を使用する場合に関して説明したが、保護管を用いないで、二重管削孔装置による削孔が終了し、インナー部材を取出した後に設置孔４内に残存する外管自体に対して、アンカー用スペーサ２を装着したアンカー１を挿入する作業形態の場合にも、同様の手順によりアンカー１を設置孔４のほぼ中央に保持することにより周囲にムラの少ない被り厚を確保することができる。
【００１３】
以下に、アンカー用スペーサに関する実施例を説明する。図４〜図６は本発明に係るアンカー用スペーサに関する第１実施例を示したもので、図４は正面図、図５は平面図、図６は側面図である。図４及び図５に示したように、本実施例に係るアンカー用スペーサは、前記アンカー用スペーサ２と同様のものであり、両側に前記アンカー１に対して側方から押圧装着可能な開口部６，７を有する把持部８，９を備え、それらの把持部８，９間を連結部１０により連結するとともに、その連結部１０の両側部から間隔保持片１１，１２を折曲げ形成している。図６に示したように、それらの間隔保持片１１，１２は、それぞれ間隔形成部１３，１４と上述の例では保護管５の内面に当接する内面当接部１５，１６とから構成されている。これらの内面当接部１５，１６は、図６に示したようにそれぞれ断面円弧状の曲面からなり、図３に示したように、保護管５の内面に当接するように形成されており、その断面円弧状の曲面の中心は、保護管５の軸心Ｂと一致している。そして、図５及び図６に示したように、本実施例における内面当接部１５，１６は、把持部８，９の軸心Ｄを通る直線Ｅ−Ｅによって分割される下半分の領域に納まるように構成されている。したがって、前述のように、アンカー用スペーサ２をアンカー１に装着して保護管５内に挿入したときに、その保護管５の内面との接触に基づく拘束性が緩和されるので、保護管５の直径に対する融通性が増し、挿入作業がより簡便になるとともに、材料の使用量の節減にも有効である。因みに、アンカー１は把持部８，９に把持されることから、アンカー１の軸心Ａは把持部８，９の軸心Ｄと通常一致することになる。
【００１４】
図７は前記アンカー用スペーサ２のアンカー１への装着状態を示した断面図である。本図における（Ａ）〜（Ｃ）は、アンカー１に対する装着方向が異なるアンカー用スペーサ２の装着状態を例示した断面図である。図示のように、本実施例の場合には、把持部８，９の先端部１７，１８がアンカー１の外周面の凹凸部１９に係止することにより、装着方向が変化しても軸方向の移動が阻止されるように構成されている。
【００１５】
図８〜図１０は前記アンカー用スペーサ２の変形例を示したもので、図８は正面図、図９は平面図、図１０は側面図である。本実施例に係るアンカー用スペーサ２０は、両側にアンカー１に対して側方から押圧装着可能な把持部２１，２２を備え、それらの把持部２１，２２間を連結する連結部２３の両側部から間隔保持片２４，２５を折曲げ形成している。それらの間隔保持片２４，２５は、それぞれ間隔形成部２６，２７と外管や保護管からなる挿入孔の内面に当接する断面円弧状の曲面からなる内面当接部２８，２９とから構成されている。特に、本実施例の場合には、内面当接部２８，２９の各周辺部ａ〜ｃが内側に折曲げられており、挿入孔の内面との引っかかりを軽減して挿入作業が更に円滑になるように構成されている。なお、連結部２３には、アンカー１の外周面の凹凸部１９に係止して軸方向の移動を阻止し得る一対の係止片３０が切起しにより形成されている。因みに、本実施例の場合においても、内面当接部２８，２９の挿入孔の内面との当接部分は、それらの先端側の周辺部ｃが内側へ折曲げられて挿入孔の内面とは当接しないことから、把持部２１，２２の軸心Ｆを通る直線Ｇ−Ｇによって分割される下半分の領域に納まった状態にあり、前記実施例と同様に、外管や保護管からなる挿入孔の内面との接触に基づく拘束性が緩和され、挿入孔の直径に対する融通性が増すので、挿入孔に対する挿入作業が簡便になる。
【００１６】
図１１は前記アンカー用スペーサ２の他の変形例を示した側面図である。（Ａ）、（Ｂ）に示した本実施例に係るアンカー用スペーサ３１，３２は、それぞれ間隔保持片３４〜３６の形成の仕方に特徴を有する。すなわち、アンカー用スペーサ３１では、間隔保持片３４，３５の内面当接部３８，３９を下方へ向けて形成した点で特徴を有し、アンカー用スペーサ３２では、１つの間隔保持片３６から長い内面当接部４０を形成した点で特徴を有する。
【００１７】
図１２は本発明に係るアンカー用スペーサに関する第２実施例を示した正面図である。図示のように、本実施例に係るアンカー用スペーサ６３は、アンカー１に対して側方から押圧装着可能な開口部を有する１つの把持部６４を備え、その両側に支持片６５，６６を一体的に設置するとともに、それらの支持片６５，６６に対して前述の間隔形成部１０，１１と内面当接部１２，１３とから構成された間隔保持片８，９と同様の構成からなる間隔保持片６７，６８を一体的に備えたものである。
【００１８】
図１３は本発明に係るアンカー用スペーサに関する第３実施例を示した側面図であり、図１４はその設置状態を示した断面図である。上述の各実施例では、前記外管や保護管からなるアンカーの挿入孔の内面と当接する内面当接部を筒状把持部の軸心を通る直線によって分割される半分以下の領域に納めるように構成した場合に関して説明したが、本実施例では、その内面当接部の設置状態に対する制約を外して任意の大きさに設定する場合に関して説明する。図１３に示したように、本実施例に係るアンカー用スペーサ７７は、前記アンカー１に対して側方から押圧装着可能な開口部７８を有する把持部７９を両側に備え、それらの把持部７９間を連結する連結部の両側部に間隔形成部８０，８１と内面当接部８２，８３からなる間隔保持片８４，８５を折曲げ形成し、図１４に示したように本アンカー用スペーサ７７によってアンカー１の軸心Ａが保護管５の軸心Ｂより上方にＳだけ偏心した状態に保持されるように構成した点では前記アンカー用スペーサ２の場合と基本的に異なるところはない。ただ、内面当接部８２，８３を筒状把持部７９の軸心Ｈ（通常はアンカー１の軸心Ａと一致する）を通る直線Ｉ−Ｉより上方まで延した点でのみ相違する。これにより、本実施例に係るアンカー用スペーサ７７の場合には、内面当接部８２，８３と保護管５等の挿入孔の内面との接触に基づく拘束性が大きくなり、挿入孔の直径に対する融通性は小さくなるが、アンカー１がどの方向に対しても的確に保持されることになる。因みに、以上の内面当接部の延長に関しては、前記第１実施例の各アンカー用スペーサに適用することが可能である。
【図面の簡単な説明】
【００１９】
【図１】本発明に係るアンカー用スペーサのアンカーへの装着状態を示した施工説明図である。
【図２】同アンカー用スペーサを装着したアンカーを設置孔内へ挿入した途中の部分を例示した施工状態図である。
【図３】図２のＸ−Ｘ拡大断面図である。
【図４】本発明に係るアンカー用スペーサに関する第１実施例を示した正面図である。
【図５】同アンカー用スペーサを示した平面図である。
【図６】同アンカー用スペーサを示した側面図である。
【図７】同アンカー用スペーサのアンカーへの装着状態を示した断面図である。
【図８】同アンカー用スペーサの変形例を示した正面図である。
【図９】同変形例を示した平面図である。
【図１０】同変形例を示した側面図である。
【図１１】前記アンカー用スペーサの他の変形例を示した側面図である。
【図１２】本発明に係るアンカー用スペーサに関する第２実施例を示した正面図である。
【図１３】本発明に係るアンカー用スペーサに関する第３実施例を示した側面図である。
【図１４】同アンカー用スペーサの設置状態を示した断面図である。
【符号の説明】
【００２０】
１…アンカー、２…アンカー用スペーサ、３…地盤、４…設置孔、５…保護管、６，７…開口部、８，９…把持部、１０…連結部、１１，１２…間隔保持片、１３，１４…間隔形成部、１５，１６…内面当接部、１７，１８…先端部、１９…凹凸部、２０…アンカー用スペーサ、２１，２２…把持部、２３…連結部、２４，２５…間隔保持片、２６，２７…間隔形成部、２８，２９…内面当接部、３０…係止片、３１，３２…アンカー用スペーサ、３４〜３６…間隔保持片、３８，３９…内面当接部、４０…内面当接部、６３…アンカー用スペーサ、６４…把持部、６５，６６…支持片、６７，６８…間隔保持片、７７…アンカー用スペーサ、７８…開口部、７９…把持部、８０，８１…間隔形成部、８２，８３…内面当接部、８４，８５…間隔保持片
【図１】
0004771497.tif 000002
【図２】
0004771497.tif 000003
【図３】
0004771497.tif 000004
【図４】
0004771497.tif 000005
【図５】
0004771497.tif 000006
【図６】
0004771497.tif 000007
【図７】
0004771497.tif 000008
【図８】
0004771497.tif 000009
【図９】
0004771497.tif 000010
【図１０】
0004771497.tif 000011
【図１１】
0004771497.tif 000012
【図１２】
0004771497.tif 000013
【図１３】
0004771497.tif 000014
【図１４】
0004771497.tif 000015